(57)【特許請求の範囲】
【請求項１】
モールド成形にてキープレートの柄部を覆うように形成された把持部に電子部品を内包してなるキー装置であって、
前記電子部品を保持する保持部材を受容する受容孔と、キーホルダの連結孔とが、互いに連通した状態で前記柄部に開設されており、
前記保持部材は、前記受容孔の内周縁部に係合される溝を有し、前記連結孔を介して、前記受容孔の内周縁部に前記溝をスライドさせながら前記受容孔内に圧入することによって前記柄部に固定されるものであることを特徴とするキー装置。
【請求項２】
前記受容孔と前記連結孔とを連通する連通口が、前記保持部材を係止可能なように内側の間隔が狭められていることを特徴とする請求項１に記載のキー装置。
【発明の詳細な説明】
【０００１】
【発明の属する技術分野】
本発明は、モールド成形にてキープレートの柄部を覆うように形成された把持部に電子部品が内包されたキー装置に関するものである。
【０００２】
【従来の技術】
自動車用のエンジン始動装置においては、盗難防止効果を高めるため、キーシリンダにキーを差し込んだ際に、キーシリンダとキーとの間で電波信号の授受を行い、キーから発せられるコード信号と車両側に予め記憶されている暗証コードとを照合して、キーが正規のものであるか否かを判別するようにした、いわゆるイモビライザーシステムが適用されたものがある。
【０００３】
このようなイモビライザーシステム用のキー装置においては、インサートモールド成形にてキープレートの柄部に把持部を形成する際に、電気的信号の授受を行うためのアンテナやコード信号の発信回路からなるトランスポンダを、外力から保護するための保持部材に収容した上で、保持部材を柄部と共にインサートして把持部に内包するようにしたものが知られている。
【０００４】
【発明が解決しようとする課題】
ところで、モールド成形により把持部を形成する際には、保持部材に成形圧（樹脂射出圧）が加えられると、保持部材がキープレートの柄部から外れるおそれがあるため、保持部材をキープレートの柄部に対して強固に固定しておくことが望ましい。
【０００５】
【課題を解決するための手段】
このような要望を満たすために、本発明では、モールド成形にてキープレートの柄部を覆うように形成された把持部に電子部品を内包してなるキー装置において、前記電子部品を保持する保持部材を受容する受容孔と、キーホルダの連結孔とが、互いに連通した状態で前記柄部に開設されており、前記保持部材は、前記受容孔の内周縁部に係合される溝を有し、前記連結孔を介して、前記受容孔の内周縁部に前記溝をスライドさせながら前記受容孔内に圧入することによって前記柄部に固定されるものとした。
【０００６】
特に、前記受容孔と前記連結孔とを連通する連通口が、前記保持部材を係止可能なように内側の間隔が狭められていると好ましい。
【０００７】
【発明の実施の形態】
以下に添付の図面に示された実施形態に基づいて本発明の構成を詳細に説明する。
【０００８】
図１及び図２は、本発明に基づき構成された自動車用のキー装置を示している。このキー装置は、イモビライザーシステムが適用されたイグニッションスイッチ操作用として構成されたものであり、金属板の打ち抜き成形等にて形成されたキープレート１と、電子部品としてのトランスポンダ２を保持すると共にキープレート１の柄部１ａに開設された受容孔３に受容された合成樹脂製の保持部材４と、これら柄部１ａ及び保持部材４を覆うようにインサートモールド成形によって形成された軟質エラストマ材による把持部５とからなっている。
【０００９】
トランスポンダ２は、図３に示すように、両端を丸めた形状に閉じられたガラス管に、コイルアンテナ６とコード信号発信回路７とを封入してなっている。コイルアンテナ６は、キーシリンダのキー孔を外囲するように設けられたキーシリンダ側コイル（図示せず）との間で、電波信号の授受を行うものである。すなわち、キープレート１の軸部１ｂをキーシリンダのキー孔に差し込んでＯＮ位置にすると、キーシリンダ側のコイルから電波が発信され、この電波をトランスポンダ２のコイルアンテナ６が受信する。すると、電磁誘導作用によってコイルアンテナ６に起電力が生じ、この電力がコード信号発信回路７に供給されて、予め記憶されている固有コードに応じた電波信号が、コイルアンテナ６から発信される。このコイルアンテナ６から発信された固有コード信号は、キーシリンダ側のコイルで受信され、予め記憶されている暗証コードと比較照合され、互いのコードが一致したならば、正規のキーであると判断して、エンジンの作動を可能にする。一方、上記コードが不一致の場合には、エンジンの作動を行わないようにする。
【００１０】
このトランスポンダ２を保持する保持部材４は、トランスポンダ２を受容する保持孔８が長手方向に貫通して形成された主部９と、その左右両側面の上下両端から各々一対づつ張り出したつば部１０とからなっている。主部９は、軸部１ｂ側が縮幅した先細りな輪郭形状に形成されている。そして上下一対のつば部１０は、軸部１ｂと相反する後半部分の左右の各側面部分から、受容孔３の内周縁部の板厚と略同一寸法離間して延設されている。
【００１１】
保持孔８の内周面には、円周を３等分する位置の各々に、軸線方向に沿って突条１１が突設されており、これら３つの突条１１により、保持孔８に挿入されたトランスポンダ２が、保持孔８の内周面に対して浮いた状態に支持されるようになっている。これにより、外力による保持部材４の変形からトランスポンダ２を保護すると共に、高い耐衝撃性が確保される。
【００１２】
キープレート１の柄部１ａには、保持部材４を受容する受容孔３に連通された状態で、キーホルダを連結するための連結孔１２が、柄部１ａの後端縁に沿って幅広に開設されており、これら受容孔３並びに連結孔１２と、両者を連通する連通口１３とで、全体として概ねＴ字形をなす孔が形成されている。受容孔３の内周の連通口１３に隣接する部分には、円弧状の凹部１４が形成されている。また、連結孔１２の内周には、図１に示すように、インサートモールド成形によって把持部５が所定厚さで被覆され、これによって形成される孔１２ａが、事実上の連結孔となり、この孔１２ａを取り巻く金属製の柄部１ａによって把持部５が保形されると共に、所要の強度が確保されるようになっている。
【００１３】
保持部材４は、その先端部を連通口１３に配置し、つば部１０が設けられた後半部分を連結孔１２に配置すると共に、左右に各々設けられた上下のつば部１０の間の溝１５を連通口１３の内端縁に整合させた上で、軸部１ｂ側に圧入することで受容孔３に取り付けられる。このとき、連通口１３が受容孔３に向かって縮幅しており、最も狭小となる受容孔３との隣接部分の幅が、保持部材４の後端の横幅より僅かに狭小となるように形成されているため、嵌合操作が円滑になされると共に、保持部材４が受容孔３に確実に係止される。なお、必要に応じて、連通口１３の内縁部を鍛圧することによって連通口１３の内幅寸法を縮めてかしめるものとすれば、受容孔３に対する保持部材４の保持力をより一層高めることができる。
【００１４】
このようにして受容孔３に取付けられた保持部材４は、その主部９の外形輪郭と概ね等しい内形輪郭に形成された受容孔３に主部９が緊密に受容され、つば部１０が受容孔３の内周縁部に係合して板厚方向の変位を規制すると共に、主部９の横幅より狭小に形成された連通口１３によって連結孔１２側への抜け出しが規制されることで、キープレート１に対して確実に固定される。
【００１５】
そして、保持部材４に保持されたトランスポンダ２が軸部１ｂの軸心と同軸的に配置されるため、軸部１ｂをキーシリンダのキー孔に挿入した際に、トランスポンダ２内のコイルアンテナ６が、キーシリンダ側のコイルと整合する位置に配置され、電磁誘導作用による電力変換効率が最適となる状態で、トランスポンダ２とキーシリンダ側のコイルとの間で電波信号の授受を行うことができる。
【００１６】
【発明の効果】
このように本発明によれば、トランスポンダ等の電子部品を保持する保持部材がキープレートの柄部に対して確実に固定されるため、把持部をモールド成形にて形成する際に、保持部材がキープレートの柄部から外れることがなくなる。しかも、キープレート自体に開設されたキーホルダの連結孔を利用して保持部材をその受容孔に受容させるようにしているので、受容孔と連結孔とが全体として閉じられた孔となるため、キーホルダの結合強度が十分に確保されると共に、保持部材とキープレートとの組み付け性が容易化されるため、製造コストの上昇を抑える上で大きな効果がある。
【図面の簡単な説明】
【図１】本発明に基づき構成されたキー装置の要部を一部破断して示す平面図。
【図２】図１に示したＩＩ−ＩＩ線で分断して示す断面図。
【図３】図１に示したキー装置の要部を示す分解斜視図。
【符号の説明】
１  キープレート
１ａ  柄部
１ｂ  軸部
２  トランスポンダ
３  受容孔
４  保持部材
５  把持部
６  コイルアンテナ
７  コード信号発信回路
８  保持孔
９  主部
１０  つば部
１１  突条
１２  連結孔
１２ａ  孔
１３  連通口
１４  凹部
１５  溝
【図１】
0003628430.tif 000002
【図２】
0003628430.tif 000003
【図３】
0003628430.tif 000004